(57)【要約】【課題】照明器具を制御するために割り当てられるセンサを、容易に設定および変更できる割り当て方法等を提供する。【解決手段】割り当て方法は、設定器３０が、複数の照明器具１０をグループ分け操作を受け付け、複数のグループにセンサ２０を割り当てる操作を受け付け、複数の照明器具１０それぞれが属するグループを示す第１情報３３ａ、および、複数のグループに割り当てられたセンサ２０を示す第２情報３３ｂをコントローラ４０に送信する。さらに、設定器３０が、割り当てられたセンサ２０が異なる複数のグループ間で、複数の照明器具１０のうちの１つのグループの変更操作を受け付け、複数の照明器具１０の変更後のグループを示す変更後の第１情報３３ａをコントローラ４０に送信する。コントローラ４０は、受信した変更後の第１情報３３ａに基づいて、照明器具１０を変更後のグループに割り当てられたセンサ２０の検知結果に基づいて制御する。【選択図】図８Ａ
2020087759.tif 000002
【特許請求の範囲】
【請求項１】
コントローラが複数の照明器具を制御するために用いられる少なくとも１つのセンサを、設定器への操作によって前記複数の照明器具に割り当てる前記設定器による割り当て方法であって、
前記割り当て方法は、
前記設定器が、前記複数の照明器具を複数のグループに分ける操作を受け付ける第１受付ステップと、
前記設定器が、前記複数のグループの少なくとも１つに前記センサを割り当てる操作を受け付ける第２受付ステップと、
前記設定器が、前記複数の照明器具それぞれが属するグループを示す第１情報、および、前記複数のグループの少なくとも１つに割り当てられたセンサを示す第２情報を前記コントローラに送信する第１送信ステップとを含み、
前記コントローラは、受信した前記第１情報および前記第２情報に基づいて、前記複数の照明器具のそれぞれを当該照明器具が属するグループに割り当てられたセンサの検知結果に基づいて制御し、
前記割り当て方法は、さらに、前記第１送信ステップ後に、
前記設定器が、割り当てられたセンサが異なる前記複数のグループ間で、前記複数の照明器具のうちの１つのグループの変更操作を受け付ける第３受付ステップと、
前記設定器が、前記複数の照明器具のうちの１つの変更後のグループを示す変更後の前記第１情報を前記コントローラに送信する第２送信ステップとを含み、
前記コントローラは、受信した変更後の前記第１情報に基づいて、前記複数の照明器具のうち前記変更操作によってグループが変更された照明器具を変更後のグループに割り当てられたセンサの検知結果に基づいて制御する
割り当て方法。
【請求項２】
前記コントローラは、前記設定器への操作に応じて前記複数の照明器具をグループごとに一括制御する第１モード、および、前記複数の照明器具のそれぞれを当該照明器具が属するグループに割り当てられたセンサの検知結果に基づいて制御する第２モードを有する
請求項１に記載の割り当て方法。
【請求項３】
前記第２受付ステップにおいて、
前記設定器が、前記複数のグループのうちの２つ以上に同一の前記センサを割り当てる操作を受け付ける
請求項１または２に記載の割り当て方法。
【請求項４】
前記センサは、明るさを検知する明るさセンサである
請求項１〜３のいずれか１項に記載の割り当て方法。
【請求項５】
前記センサは、人を検知する人感センサである
請求項１〜３のいずれか１項に記載の割り当て方法。
【請求項６】
複数の照明器具と、
前記複数の照明器具を制御するコントローラと、
前記コントローラが前記複数の照明器具を制御するために用いられる少なくとも１つのセンサと、
設定器とを備え、
前記設定器は、
前記複数の照明器具を複数のグループに分ける操作、および、前記複数のグループの少なくとも１つに前記センサを割り当てる操作を受け付ける操作受付部と、
前記複数の照明器具それぞれが属するグループを示す第１情報、および、前記複数のグループの少なくとも１つに割り当てられたセンサを示す第２情報を前記コントローラに送信する送信部とを有し、
前記コントローラは、
前記第１情報および前記第２情報を受信する受信部と、
前記受信部によって受信された前記第１情報および前記第２情報が記憶される記憶部と、
前記記憶部に記憶された前記第１情報および前記第２情報に基づいて、前記複数の照明器具のそれぞれを当該照明器具が属するグループに割り当てられたセンサの検知結果に基づいて制御する制御部とを有し、
前記操作受付部は、割り当てられたセンサが異なる前記複数のグループ間で、前記複数の照明器具のうちの１つのグループの変更操作を受け付け、
前記送信部は、前記複数の照明器具のうちの１つの変更後のグループを示す変更後の前記第１情報を前記コントローラに送信し、
前記受信部は、変更後の前記第１情報を受信し、
前記記憶部は、変更後の前記第１情報が記憶され、
前記制御部は、受信した変更後の前記第１情報に基づいて、前記複数の照明器具のうち前記変更操作によってグループが変更された照明器具を変更後のグループに割り当てられたセンサの検知結果に基づいて制御する
照明システム。
【請求項７】
コントローラが複数の照明器具を制御するために用いられる少なくとも１つのセンサを、前記複数の照明器具に割り当てるために操作される設定器であって、
前記複数の照明器具を複数のグループに分ける操作、および、前記複数のグループの少なくとも１つに前記センサを割り当てる操作を受け付ける操作受付部と、
前記複数の照明器具それぞれが属するグループを示す第１情報、および、前記複数のグループの少なくとも１つに割り当てられたセンサを示す第２情報を前記コントローラに送信する送信部とを備え、
前記コントローラは、受信した前記第１情報および前記第２情報に基づいて、前記複数の照明器具のそれぞれを当該照明器具が属するグループに割り当てられたセンサの検知結果に基づいて制御し、
前記操作受付部は、割り当てられたセンサが異なる前記複数のグループ間で、前記複数の照明器具のうちの１つのグループの変更操作を受け付け、
前記送信部は、前記複数の照明器具のうちの１つの変更後のグループを示す変更後の前記第１情報を前記コントローラに送信し、
前記コントローラは、受信した変更後の前記第１情報に基づいて、前記複数の照明器具のうち前記変更操作によってグループが変更された照明器具を変更後のグループに割り当てられたセンサの検知結果に基づいて制御する
設定器。
【請求項８】
請求項１〜５のいずれか１項に記載の割り当て方法をコンピュータに実行させるためのプログラム。
【発明の詳細な説明】
【技術分野】
【０００１】
本発明は、設定器への操作によって、照明器具を制御するために用いられるセンサを照明器具に割り当てる割り当て方法、照明システム、設定器、および割り当て方法のプログラムに関する。
【背景技術】
【０００２】
従来、複数の照明器具と、センサとを備える照明システムが開示されている（例えば特許文献１および２）。このような照明システムによれば、センサが検出した結果に応じて照明器具を自動で調光制御することができ、照明器具が設けられたフロア等を目的に応じた明るさに制御することができる。
【先行技術文献】
【特許文献】
【０００３】
【特許文献１】特開２００７−２８７６８２号公報
【特許文献２】特開２０１６−１０３３７２号公報
【発明の概要】
【発明が解決しようとする課題】
【０００４】
このような照明システムにおいて、フロアのレイアウトの変更等があった場合には、照明器具が属するグループ分けを変更すると共に、照明器具を制御するために割り当てられたセンサを変更することが必要になる。特に、フロアの規模によっては、１００台以上の照明器具が設置されることもあり、照明器具に割り当てられたセンサの設定および変更の簡素化が望まれる。
【０００５】
そこで、本発明は、照明器具を制御するために割り当てられるセンサを、容易に設定および変更できる割り当て方法等を提供することを目的とする。
【課題を解決するための手段】
【０００６】
本発明の一態様に係る割り当て方法は、コントローラが複数の照明器具を制御するために用いられる少なくとも１つのセンサを、設定器への操作によって前記複数の照明器具に割り当てる前記設定器による割り当て方法であって、前記割り当て方法は、前記設定器が、前記複数の照明器具を複数のグループに分ける操作を受け付ける第１受付ステップと、前記設定器が、前記複数のグループの少なくとも１つに前記センサを割り当てる操作を受け付ける第２受付ステップと、前記設定器が、前記複数の照明器具それぞれが属するグループを示す第１情報、および、前記複数のグループの少なくとも１つに割り当てられたセンサを示す第２情報を前記コントローラに送信する第１送信ステップとを含み、前記コントローラは、受信した前記第１情報および前記第２情報に基づいて、前記複数の照明器具のそれぞれを当該照明器具が属するグループに割り当てられたセンサの検知結果に基づいて制御し、前記割り当て方法は、さらに、前記第１送信ステップ後に、前記設定器が、割り当てられたセンサが異なる前記複数のグループ間で、前記複数の照明器具のうちの１つのグループの変更操作を受け付ける第３受付ステップと、前記設定器が、前記複数の照明器具のうちの１つの変更後のグループを示す変更後の前記第１情報を前記コントローラに送信する第２送信ステップとを含み、前記コントローラは、受信した変更後の前記第１情報に基づいて、前記複数の照明器具のうち前記変更操作によってグループが変更された照明器具を変更後のグループに割り当てられたセンサの検知結果に基づいて制御する。
【０００７】
本発明の一態様に係る照明システムは、複数の照明器具と、前記複数の照明器具を制御するコントローラと、前記コントローラが前記複数の照明器具を制御するために用いられる少なくとも１つのセンサと、設定器とを備え、前記設定器は、前記複数の照明器具を複数のグループに分ける操作、および、前記複数のグループの少なくとも１つに前記センサを割り当てる操作を受け付ける操作受付部と、前記複数の照明器具それぞれが属するグループを示す第１情報、および、前記複数のグループの少なくとも１つに割り当てられたセンサを示す第２情報を前記コントローラに送信する送信部とを有し、前記コントローラは、前記第１情報および前記第２情報を受信する受信部と、前記受信部によって受信された前記第１情報および前記第２情報が記憶される記憶部と、前記記憶部に記憶された前記第１情報および前記第２情報に基づいて、前記複数の照明器具のそれぞれを当該照明器具が属するグループに割り当てられたセンサの検知結果に基づいて制御する制御部とを有し、前記操作受付部は、割り当てられたセンサが異なる前記複数のグループ間で、前記複数の照明器具のうちの１つのグループの変更操作を受け付け、前記送信部は、前記複数の照明器具のうちの１つの変更後のグループを示す変更後の前記第１情報を前記コントローラに送信し、前記受信部は、変更後の前記第１情報を受信し、前記記憶部は、変更後の前記第１情報が記憶され、前記制御部は、受信した変更後の前記第１情報に基づいて、前記複数の照明器具のうち前記変更操作によってグループが変更された照明器具を変更後のグループに割り当てられたセンサの検知結果に基づいて制御する。
【０００８】
本発明の一態様に係る設定器は、コントローラが複数の照明器具を制御するために用いられる少なくとも１つのセンサを、前記複数の照明器具に割り当てるために操作される設定器であって、前記複数の照明器具を複数のグループに分ける操作、および、前記複数のグループの少なくとも１つに前記センサを割り当てる操作を受け付ける操作受付部と、前記複数の照明器具それぞれが属するグループを示す第１情報、および、前記複数のグループの少なくとも１つに割り当てられたセンサを示す第２情報を前記コントローラに送信する送信部とを備え、前記コントローラは、受信した前記第１情報および前記第２情報に基づいて、前記複数の照明器具のそれぞれを当該照明器具が属するグループに割り当てられたセンサの検知結果に基づいて制御し、前記操作受付部は、割り当てられたセンサが異なる前記複数のグループ間で、前記複数の照明器具のうちの１つのグループの変更操作を受け付け、前記送信部は、前記複数の照明器具のうちの１つの変更後のグループを示す変更後の前記第１情報を前記コントローラに送信し、前記コントローラは、受信した変更後の前記第１情報に基づいて、前記複数の照明器具のうち前記変更操作によってグループが変更された照明器具を変更後のグループに割り当てられたセンサの検知結果に基づいて制御する。
【０００９】
本発明の一態様に係るプログラムは、上記の割り当て方法をコンピュータに実行させるためのプログラムである。
【発明の効果】
【００１０】
本発明に係る割り当て方法等によれば、照明器具を制御するために割り当てられるセンサを容易に設定および変更できる。
【図面の簡単な説明】
【００１１】
【図１】図１は、実施の形態に係る照明システムの構成例を示す図である。
【図２】図２は、実施の形態に係る照明システムの構成を示すブロック図である。
【図３Ａ】図３Ａは、実施の形態に係る第１情報の一例を示す図である。
【図３Ｂ】図３Ｂは、実施の形態に係る第２情報の一例を示す図である。
【図４Ａ】図４Ａは、実施の形態に係る割り当て方法において、設定器がグループにセンサを割り当てる方法を示すフローチャートである。
【図４Ｂ】図４Ｂは、実施の形態に係る割り当て方法において、グループにセンサを割り当てられた際の、コントローラの処理を示すフローチャートである。
【図５】図５は、実施の形態に係る割り当て方法において、照明器具のグループ分けが完了した際の、設定器に表示される画面の一例を示す図である。
【図６Ａ】図６Ａは、実施の形態に係る割り当て方法において、グループにセンサを割り当てる際の、設定器における操作の一例を示す図である。
【図６Ｂ】図６Ｂは、図６Ａにおけるセンサ選択の際、設定器に表示される画面の一例を示す図である。
【図７Ａ】図７Ａは、実施の形態に係る割り当て方法において、設定器が照明器具のグループ分けを変更する方法を示すフローチャートである。
【図７Ｂ】図７Ｂは、実施の形態に係る割り当て方法において、照明器具のグループ分けが変更された際の、コントローラの処理を示すフローチャートである。
【図８Ａ】図８Ａは、実施の形態に係る割り当て方法において、照明器具のグループ分けを変更する際の、設定器における操作の一例を示す図である。
【図８Ｂ】図８Ｂは、図８Ａにおけるグループ選択の際、設定器に表示される画面の一例を示す図である。
【発明を実施するための形態】
【００１２】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置および接続形態、並びに、ステップ（工程）およびステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。また、各図において、同じ構成要素については同じ符号を付している。
【００１４】
（実施の形態）
［照明システムの全体構成］
まず、本実施の形態に係る照明システム１００の全体構成について説明する。図１は、本実施の形態に係る照明システム１００の構成例を示す図である。
【００１５】
照明システム１００は、複数の照明器具１０ａ〜１０ｆと、センサ２０ａ、２０ｂと、設定器３０と、コントローラ４０とを備える。
【００１６】
複数の照明器具１０ａ〜１０ｆは、例えば、フロア天井等に設けられ、センサ２０ａ、２０ｂから、無線または有線で送信される制御信号を受信し、受信した制御信号に従って動作する。例えば、制御信号は、点灯、消灯、調光、または調色等の指示を含む。また、複数の照明器具１０ａ〜１０ｆは、それぞれ個別に識別可能なアドレス等の識別番号を有しており、制御信号にアドレス等の情報が含まれることにより、それぞれの複数の照明器具１０ａ〜１０ｆが、異なる制御信号により動作することができる。図１では６台の照明器具１０ａ〜１０ｆが示されているが、この図は一例であり、実際は１００台以上の照明器具が設置されることがある。
【００１７】
複数の照明器具１０ａ〜１０ｆは、共通の照明動作をすべき照明器具をメンバーとする複数のグループ２００ａ、２００ｂに分割される。つまり、グループとは、同じ照明動作をすべき照明器具の単位である。図１においては、複数の照明器具１０ａ、１０ｂ、１０ｃ、１０ｆはグループ２００ａに属し、複数の照明器具１０ｄ、１０ｅはグループ２００ｂに属している。例えば、グループは、同じ部屋、同じ部署、同じ売り場、同じ教室、または同じ区画に属する照明器具の集まりである。図１では２つのグループ２００ａ、２００ｂが示されているが、この図は一例であり、グループの数に制限は無く、必要に応じて設定される。また、グループに属する照明器具の数は、１つでもよく、複数でもよい。
【００１８】
センサ２０ａ、２０ｂは、コントローラ４０が複数の照明器具１０ａ〜１０ｆの照明動作を制御するために用いられる。センサ２０ａ、２０ｂは、複数の照明器具１０ａ〜１０ｆに割り当てられる。センサ２０ａ、２０ｂは、例えば、フロア天井等に設けられ、検知範囲の情報を検知するセンサである。センサ２０ａ、２０ｂは、検知した情報に基づいて複数の照明器具１０ａ〜１０ｆに用いられるものであればよく、特にセンサの種類に制限は無い。センサ２０ａ、２０ｂは、明るさを検知する明るさセンサであってもよい。明るさセンサは、明るさを検知する機能があれば、明るさを検知する以外の機能を有していてもよい。また、センサ２０ａ、２０ｂは、検知範囲に人が存在するかどうかを検知する人感センサであってもよい。人感センサは、人の存在を検知する機能があれば、人の存在を検知する以外の機能を有していてもよい。また、センサ２０ａ、２０ｂに用いするセンサとしては、同一のセンサを用いてもよく、検知対象が異なるセンサを組み合わせて用いてもよい。センサ２０ａ、２０ｂは、検知した結果をコントローラ４０に送信する。
【００１９】
例えば、センサ２０a、２０ｂが明るさセンサの場合、センサ２０a、２０ｂは、いずれかのセンサが割り当てられた照明器具１０ａ〜１０ｆが設置された場所の周辺に設置される。明るさセンサは、当該センサが割り当てられた照明器具に照射される床面等の照度を検出することで、照明器具の明るさを検知する。検知結果は、コントローラ４０に送信される。例えば、当該センサによって検知された明るさが予め定められた設定値となるように、当該センサが割り当てられた照明器具はコントローラ４０により調光制御される。具体的には、検知された明るさが予め定められた明るさの設定値よりも明るい場合には当該センサが割り当てられた照明器具の調光率が下げられ、暗い場合には、当該センサが割り当てられた照明器具の調光率が上げられる。予め定められた明るさの設定値は、例えば、コントローラ４０に記憶されており、コントローラ４０は、検知した明るさをコントローラ４０が記憶している予め定められた明るさの設定値に照合することで、当該センサが割り当てられた照明器具の調光制御を行う。これにより、照明器具が設けられたフロア等を所望の明るさにすることができる。
【００２０】
また、例えば、センサ２０a、２０ｂが人感センサの場合、センサ２０a、２０ｂは、いずれかのセンサが割り当てられた照明器具１０ａ〜１０ｆが設置された場所の周辺に設置される。人感センサは、当該センサが割り当てられた照明器具周囲の赤外線などを検出し、検知範囲に人が存在しているかどうかを検知する。検知結果は、コントローラ４０に送信される。例えば、当該センサによって人の存在が検知された場合にのみ、当該センサが割り当てられた照明器具が点灯するようにコントローラ４０により制御される。これにより、人が不在な場合には、消灯されるため、電気使用量を抑制できる。
【００２１】
さらに、センサ２０ａ、２０ｂは、それぞれ無線通信機能または有線通信機能を有しており、コントローラ４０と複数の照明器具１０ａ〜１０ｆとは、センサ２０ａ、２０ｂを介して通信可能となっている。センサ２０ａ、２０ｂを介して通信される照明器具とセンサ２０ａ、２０ｂの検知結果によって制御される照明器具とは、一致していなくてもよい。無線通信による通信方式としては、例えば、９２０ＭＨｚ帯または２．４ＧＨｚ帯の周波数を利用した特定小電力無線、Ｚｉｇｂｅｅ（登録商標）、Ｂｌｕｅｔｏｏｔｈ（登録商標）、または、ＷｉＦｉ（登録商標）などの方式が用いられる。図１では２つのセンサ２０ａ、２０ｂが示されているが、この図は一例であり、実際は１つまたは３つ以上のセンサが設置されることがある。
【００２２】
設定器３０は、コントローラ４０が複数の照明器具１０ａ〜１０ｆを制御するために用いられるセンサ２０a、２０ｂを、複数の照明器具１０ａ〜１０ｆに割り当てるために操作される。設定器３０は、例えば、スマートフォンおよびタブレット等の携帯端末、ならびに、パソコン等であり、無線通信によりコントローラ４０と通信する。設定器３０は、複数の照明器具１０ａ〜１０ｆを複数のグループに分ける、上記複数のグループの少なくとも１つにセンサ２０ａ、２０ｂのいずれかを割り当てる、および、複数の照明器具１０ａ〜１０ｆのグループ分けを変更する、等の設定を行う。設定器３０は、時間帯ごとに制御方法を決めた照明スケジュール情報を受け付けてもよい。設定器３０は、受け付けた情報をコントローラ４０に送信する。
【００２３】
コントローラ４０は、複数の照明器具１０ａ〜１０ｆの照明動作を制御する。具体的には、コントローラ４０は、照明動作を制御する制御信号を、センサ２０ａ、２０ｂを介して複数の照明器具１０ａ〜１０ｆ宛てに送信する。また、コントローラ４０は、センサ２０ａ、２０ｂの検知結果を受信する。コントローラ４０は、設定器３０によって送信された情報、および上記検知結果に基づいて、複数の照明器具１０ａ〜１０ｆに制御信号を送信する。例えば、グループ２００ａにセンサ２０ａが割り当てられている場合、コントローラ４０は、グループ２００ａに属する複数の照明器具１０ａ、１０ｂ、１０ｃ、１０ｆをセンサ２０ａに基づいて制御する。また、グループ２００ｂにセンサ２０ｂが割り当てられている場合、コントローラ４０は、グループ２００ｂに属する複数の照明器具１０ｄ、１０ｅをセンサ２０ｂに基づいて制御する。
【００２４】
また、コントローラ４０は、設定器３０への操作に応じて複数の照明器具１０ａ〜１０ｆをグループごとに一括制御する第１モード、および、複数の照明器具１０ａ〜１０ｆのそれぞれを当該照明器具が属するグループに割り当てられたセンサの検知結果に基づいて制御する第２モードを有してもよい。第１モードにおいては、例えば、設定器３０が受け付けた各グループの照明動作（点灯、消灯、調光率、色温度等）に基づいて、照明器具１０ａ〜１０ｆが制御される。また、設定器３０が、グループごとに時刻と照明動作とを対応付けた照明スケジュールを受け付けることにより、時間ごとに第１モードと第２モードとを切り替えてもよい。これにより、センサが割り当てられた照明器具についても、センサの検知結果に基づかない制御を組み込むことができる。
【００２５】
［照明システムの各構成］
次に、照明システム１００の各構成について説明する。図２は照明システム１００を構成する照明器具１０、センサ２０、設定器３０およびコントローラ４０の制御構成を示すブロック図である。なお、照明器具１０は、図１で示された複数の照明器具１０ａ〜１０ｆの代表例であり、センサ２０は、図１で示されたセンサ２０ａ、２０ｂの代表例である。
【００２６】
照明器具１０は、図２に示されるように、光源ユニット１１、点灯回路１２、制御回路１３、通信部１４、記憶部１５および電源回路１６を備える。
【００２７】
光源ユニット１１は、光源を有し照明光を発する。光源としては、例えばＬＥＤ（Ｌｉｇｈｔ  Ｅｍｉｔｔｉｎｇ  Ｄｉｏｄｅ）、蛍光灯および白熱灯などが挙げられる。
【００２８】
点灯回路１２は、光源ユニット１１に電力を供給することにより、光源ユニット１１を点灯させる。
【００２９】
制御回路１３は、点灯回路１２を制御することにより、照明器具１０の照明動作を制御する。制御回路１３は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）などにより構成される。制御回路１３は、通信部１４によって受信された制御信号に従って、照明動作として、光源ユニット１１の点灯、消灯、調光または調色等を制御する。
【００３０】
通信部１４は、有線通信路を介して、センサ２０から送信される制御信号を受信し、受信した制御信号を制御回路１３に通知する。また、通信部１４は、制御回路１３から通知される応答信号をセンサ２０に送信する。通信部１４は、例えば、ＬＡＮ（Ｌｏｃａｌ  Ａｒｅａ  Ｎｅｔｗｏｒｋ）などの有線用の通信インターフェースにより構成される。なお、通信部１４は、有線通信のかわりに、無線通信を用いてもよい。
【００３１】
ここで、照明器具１０における制御信号の扱い例について説明する。制御信号は、送信先アドレス、送信元アドレスおよびコマンドを含む。センサ２０から照明器具１０に送信される制御信号の送信先アドレスとしては照明器具１０のアドレスが設定され、送信元アドレスとしてはセンサ２０のアドレスが設定される。
【００３２】
送信先アドレスは、例えば次のように扱われる。制御回路１３は、通信部１４から通知された制御信号の送信先アドレスが自身のアドレス（つまり照明器具１０のアドレス）に該当するとき、当該制御信号に従って点灯回路１２を制御する。逆に、制御回路１３は、通信部１４から通知された制御信号の送信先アドレスが自身のアドレスに該当しないとき、当該制御信号に従う制御をすることなく、当該制御信号を破棄する。
【００３３】
送信元アドレスは、例えば次のように扱われる。制御回路１３は、通信部１４から通知された制御信号の送信元アドレスが、通信相手のアドレス（センサ２０のアドレス）に該当するとき、当該制御信号に従って点灯回路１２を制御する。逆に、制御回路１３は、通信部１４から通知された制御信号の送信元アドレスが通信相手のアドレスに該当しないとき、当該制御信号に従う制御をすることなく、当該制御信号を破棄する。
【００３４】
また、制御信号に含まれるコマンドは、照明器具１０の照明動作を指示する信号であり、例えば、点灯、消灯、調光または調色を指示する。
【００３５】
記憶部１５には、識別情報および通信部１４が受信した制御信号が記憶される。識別情報は、例えば、照明器具１０自身のアドレス、および、通信相手を示す情報としてセンサ２０のアドレスなどである。記憶部１５は、例えば、ＲＡＭおよびＲＯＭなどにより構成される。識別情報は、例えば、設定器３０によって設定することができる。
【００３６】
電源回路１６は、例えば交流−直流変換をする電源であり、照明器具１０の各部へ電力を供給する。
【００３７】
なお、照明システム１００における複数の照明器具１０はそれぞれが同じ仕様であってもよいし、それぞれが異なる仕様の照明器具１０が混在していてもよい。
【００３８】
また、制御回路１３は、プログラムを記憶するメモリとマイクロプロセッサとを内蔵するマイコンであってもよいし、アナログ回路およびデジタル回路を含むハードウェアであってもよい。
【００３９】
センサ２０は、図２に示されるように、制御部２１、検知部２２、通信部２３および記憶部２４を備える。
【００４０】
制御部２１は、コントローラ４０と照明器具１０との間で制御信号および応答信号を中継するための制御を行う。制御部２１は、例えば、ＣＰＵ、ＲＡＭおよびＲＯＭなどにより構成される。
【００４１】
検知部２２は、検知範囲の情報を検知する。例えば、検知部２２としては、周辺の明るさを検知するための照度計、ならびに、人が存在するかどうかを検知するための赤外線検知器および音検知器、などが挙げられる。
【００４２】
通信部２３は、有線通信路を介して、コントローラ４０から、照明器具１０に向けた制御信号を受信し、当該制御信号を照明器具１０に送信する。また、通信部２３は、照明器具１０の応答信号、検知部２２の検知結果をコントローラ４０に送信する。通信部２３は、例えば、ＬＡＮなどの有線用の通信インターフェースにより構成される。なお、通信部２３は、有線通信のかわりに、無線通信を用いてもよい。
【００４３】
記憶部２４には、識別情報、検知部２２の検知結果、および通信部２３が受信した制御信号が記憶される。識別情報としては、例えば、センサ２０自身のアドレス、および、通信相手を示す情報として照明器具１０のアドレスなどである。識別情報は、例えば、設定器３０によって設定することができる。記憶部２４は、例えばＲＡＭおよびＲＯＭなどにより構成される。
【００４４】
なお、制御部２１は、プログラムを記憶するメモリとマイクロプロセッサとを内蔵するマイコンであってもよいし、アナログ回路およびデジタル回路を含むハードウェアであってもよい。
【００４５】
また、センサ２０が複数の場合、センサ２０は、検知する情報の種類などについて、それぞれが同じ仕様であってもよいし、それぞれが異なる仕様のセンサ２０が混在していてもよい。
【００４６】
設定器３０は、図２に示されるように、操作受付部３１、プロセッサ３２、記憶部３３および通信部３４を備える。
【００４７】
操作受付部３１は、複数の照明器具１０を複数のグループに分ける操作、および、複数のグループの少なくとも１つにセンサ２０を割り当てる操作を受け付ける。さらに、操作受付部３１は、割り当てられたセンサ２０が異なる複数のグループ間で、複数の照明器具１０のうちの１つのグループの変更操作を受け付ける。また、操作受付部３１は、各グループの照明動作および各グループの照明スケジュール等の照明システム１００における動作設定を受け付けてもよい。照明スケジュール、割り当てられるセンサ２０および照明動作は、グループごとに定めることができる。複数のグループのうちの２つ以上に同一のセンサ２０を割り当ててもよい。操作受付部３１は、タッチパネル３１ａを備える。ユーザは、タッチパネル３１ａにより、表示を確認しながら入力、設定等が行えるため、感覚的に操作することができる。
【００４８】
プロセッサ３２は、記憶部３３に記憶された各種プログラムを実行する。例えば、プロセッサ３２は、ＣＰＵなどで構成される。
【００４９】
記憶部３３には、プロセッサ３２が実行する各種プログラムが記憶され、プロセッサ３２により参照または生成される各種データが記憶される。また、記憶部３３には、操作受付部３１が受け付けた操作結果が記憶される。記憶部３３には、複数の照明器具１０それぞれが属するグループを示す第１情報３３ａ、および、当該グループの少なくとも１つに割り当てられたセンサ２０を示す第２情報３３ｂが記憶される。第１情報３３ａは、例えば、図３Ａに示されるような、それぞれの照明器具１０とグループとの対応関係を示すデータテーブルである。第２情報３３ｂは、例えば、図３Ｂに示されるような、それぞれグループとセンサ２０との対応関係を示すデータテーブルである。図３Ｂに示されるように、第２情報３３ｂにおいては、グループにセンサ２０が割り当てられない場合があってもよく（エリア０１、ゾーン００２）、２つ以上のグループに同じセンサ２０を割り当ててもよい（エリア０２のゾーン００１とゾーン００２）。グループは、図３Ａおよび図３Ｂに示されるように、グループの階層分けを行い、大きなグループとしてエリアを設定し、エリアの中をさらにゾーンを設定してもよい。例えば、居室全体およびフロア全体をエリアに分け、さらに、居室やフロアの中のチームおよび店舗などをゾーンに分けることで、照明の制御が管理しやすくなる。また、記憶部３３には、各グループの照明動作および各グループの照明スケジュール等の照明システム１００における動作設定に関する情報が記憶されてもよい。記憶部３３は、例えば、ＲＡＭおよびＲＯＭなどにより構成される。なお、記憶部３３は、一次メモリ、二次メモリ、補助メモリおよびキャッシュメモリを含んでもよい。
【００５０】
通信部３４は、複数の照明器具１０それぞれが属するグループを示す第１情報３３ａ、および、複数のグループの少なくとも１つに割り当てられたセンサ２０を示す第２情報３３ｂをコントローラ４０に送信する。さらに、通信部３４は、複数の照明器具１０のうちの１つの変更後のグループを示す変更後の第１情報３３ａをコントローラ４０に送信する。本実施の形態では、通信部３４は送信部の一例である。また、通信部３４は、操作受付部３１が受け付けた操作によって、照明システム１００における各グループの照明動作情報および各グループの照明スケジュール情報など照明制御情報を、コントローラ４０へ送信してもよい。通信部３４は、無線通信路を介してコントローラ４０と無線通信する。通信部３４は、例えば、アンテナおよび無線モジュールなどにより構成される。なお、通信部３４は、無線通信のかわりに、有線通信を用いてもよい。
【００５１】
なお、設定器３０はタブレット型端末装置をベースに構成される例を示したが、パソコン、スマートフォンをベースに構成されてもよい。
【００５２】
コントローラ４０は、図２に示されるように、記憶部４１、制御部４２、通信部４３および時計回路４４を備える。
【００５３】
記憶部４１には、通信部４３によって受信された第１情報４１ａおよび第２情報４１ｂが記憶される。よって、第１情報４１ａおよび第２情報４１ｂは、上述した設定器３０の第１情報３３ａおよび第２情報３３ｂと同じになる。さらに、記憶部４１には、変更後の第１情報４１ａが記憶される。また、記憶部４１には、通信部４３によって受信された各グループの照明動作情報および各グループの照明スケジュール情報などが記憶されてもよい。記憶部４１は、例えば、ＲＡＭおよびＲＯＭなどにより構成される。
【００５４】
制御部４２は、記憶部４１に記憶された第１情報４１ａおよび第２情報４１ｂに基づいて、複数の照明器具１０のそれぞれを当該照明器具が属するグループに割り当てられたセンサ２０の検知結果に基づいて制御する。制御部４２は、通信部４３が受信した変更後の第１情報４１ａに基づいて、複数の照明器具１０のうち変更操作によってグループが変更された照明器具１０を変更後のグループに割り当てられたセンサ２０の検知結果に基づいて制御する。より詳しくは、制御部４２は、記憶部４１に記憶された第１情報４１ａ、第２情報４１ｂ、および通信部４３が受信したセンサ２０の検知結果に従って制御信号を生成し、生成した制御信号を通信部４３に有線通信路を介してセンサ２０へ送信させる。制御部４２による制御信号の生成には、各グループの照明動作情報、各グループの照明スケジュール情報を用いてもよい。制御部４２は、例えば、ＣＰＵ、ＲＡＭおよびＲＯＭなどにより構成される。
【００５５】
通信部４３は、設定器３０から第１情報３３ａおよび第２情報３３ｂを受信する。さらに、通信部４３は、変更後の第１情報３３ａを受信する。本実施の形態では、通信部４３は受信部の一例である。また、通信部４３は、各グループの照明動作情報および各グループの照明スケジュール情報などを受信してもよい。通信部４３は、無線通信路を介して設定器３０と無線通信する。また、通信部４３は、センサ２０に制御信号を送信し、また、センサ２０から応答信号および検知結果を受信する。通信部４３は、有線通信路を介してセンサ２０と有線通信する。通信部４３は、有線通信および無線通信の両方の通信機能を備える。なお、通信部４３は、センサ２０および設定器３０との通信に、有線通信および無線通信のどちらを用いてもよく、両方の通信機能を備えてもよい。有線通信を用いる場合、例えば、通信部４３は、ＬＡＮなどの有線用の通信インターフェースにより構成される。無線通信を用いる場合、例えば、通信部４３は、例えば、アンテナおよび無線モジュールなどにより構成される。通信部４３が受信した情報は、記憶部４１に書き込まれる。
【００５６】
時計回路４４は、日時を計数し、照明スケジュール情報に応じた制御をするために制御部４２に参照される。
【００５７】
なお、制御部４２は、プログラムを記憶するメモリとマイクロプロセッサとを内蔵するマイコンであってもよいし、アナログ回路およびデジタル回路を含むハードウェアであってもよい。
【００５８】
［照明器具へのセンサの割り当て方法］
次に、本実施の形態に係るセンサ２０を設定器３０の操作により照明器具１０を割り当てる割り当て方法について説明する。
【００５９】
本実施の形態に係る割り当て方法は、コントローラ４０が複数の照明器具１０を制御するために用いられる少なくとも１つのセンサ２０を、設定器３０への操作によって複数の照明器具１０に割り当てる割り当て方法である。割り当て方法は、設定器３０が、複数の照明器具１０を複数のグループに分ける操作を受け付ける第１受付ステップと、設定器３０が、複数のグループの少なくとも１つにセンサ２０を割り当てる操作を受け付ける第２受付ステップと、設定器３０が、複数の照明器具１０それぞれが属するグループを示す第１情報３３ａ、および、複数のグループの少なくとも１つに割り当てられたセンサを示す第２情報３３ｂをコントローラ４０に送信する第１送信ステップとを含む。コントローラ４０は、受信した第１情報３３ａおよび第２情報３３ｂに基づいて、複数の照明器具１０のそれぞれを当該照明器具が属するグループに割り当てられたセンサ２０の検知結果に基づいて制御する。
【００６０】
図４Ａは、本実施の形態に係る割り当て方法において、設定器３０が複数の照明器具１０が属するグループにセンサ２０を割り当てる方法を示すフローチャートである。また、図４Ｂは、実施の形態に係る割り当て方法において、複数の照明器具１０が属するグループにセンサ２０を割り当てられた際の、コントローラ４０の処理を示すフローチャートである。
【００６１】
まず、図４Ａに示されるように、設定器３０は、ユーザから、複数の照明器具１０を複数のグループに分けるためのグループを設定する操作を受け付ける（Ｓ１１）。集合商業施設の場合、例えば、ユーザは、操作受付部３１のタッチパネル３１ａを操作することで、フロアごとにエリアを設定し、店舗ごとにゾーンを設定する。次に、設定器３０は、複数の照明器具１０それぞれを、ステップＳ１１において設定された複数のグループに分ける操作を受け付ける（Ｓ１２）。ステップＳ１１およびステップＳ１２の操作で受け付けた情報は、複数の照明器具１０それぞれが属するグループを示す第１情報３３ａとして、記憶部３３に記憶される。ステップＳ１２が完了した設定器３０におけるタッチパネル３１ａの画面上は、図５のように示される。図５において、それぞれの照明器具１０がアイコンで示されており、アイコン上部に照明器具１０が属するグループとしてエリアおよびゾーンの番号が表示されている。Ａと記載された横の数字がエリア番号であり、Ｚと記載された横の数字がゾーン番号である。エリア番号およびゾーン番号が示されることにより、ユーザは、タッチパネル３１ａを見るだけで、それぞれの照明器具１０がどのグループに属しているかを容易に判別できる。
【００６２】
次に、設定器３０は、複数のグループいずれかにセンサ２０を割り当てる操作を受け付ける（Ｓ１３）。センサ２０を割り当てたいグループが存在している場合、すなわち、センサ２０の割り当てが完了していない場合には（Ｓ１４でＮｏ）、センサ２０が割り当てられていないグループにセンサ２０を割り当てる。なお、異なるグループには、同じセンサ２０を割り当ててもよく、異なるセンサ２０を割り当ててもよい。ステップＳ１３の操作で受け付けた情報は、複数のグループに割り当てられたセンサ２０を示す第２情報３３ｂとして、記憶部３３に記憶される。また、すべてのグループにセンサ２０を割り当てる必要はなく、センサ２０による制御の必要のない場所に設置された照明器具１０が属するグループは、別途設定された照明動作などにより制御されてもよい。
【００６３】
センサ２０を割り当てたいグループへのセンサ２０の割り当てが完了した場合には（Ｓ１４でＹｅｓ）、設定器３０は、複数の照明器具１０それぞれが属するグループを示す第１情報３３ａ、および、複数のグループに割り当てられたセンサ２０を示す第２情報３３ｂを、コントローラ４０に送信する（Ｓ１５）。設定器３０は、照明動作情報および照明スケジュール情報などの照明設定に関する情報を、グループに割り当て、その結果をコントローラ４０に送信してもよい。
【００６４】
次に、図４Ｂに示されるように、コントローラ４０は、図４ＡにおけるステップＳ１５で送信された第１情報３３ａ、および、第２情報３３ｂを受信する（Ｓ１６）。コントローラ４０において、受信した第１情報３３ａ、および、第２情報３３ｂが記憶部４１に記憶される（Ｓ１７）。そして、コントローラ４０は、記憶されている第１情報４１ａ、および、第２情報４１ｂに基づいて、複数の照明器具１０のそれぞれを当該照明器具が属するグループに割り当てられたセンサ２０の検知結果に基づいて制御する（Ｓ１８）。
【００６５】
図６Ａは、本実施の形態に係る割り当て方法において、複数のグループにセンサを割り当てる際の、設定器３０における操作の一例を示す図である。図６Ａの（ａ）および（ｂ）には、設定器３０におけるタッチパネル３１ａの画面が示されている。図５と同様に、それぞれの照明器具１０がアイコンで示されており、アイコン上部に照明器具１０が属するグループとしてエリアおよびゾーンの番号が表示されている。また、図６Ｂは、センサ２０を選択する際に表示される、設定器３０におけるタッチパネル３１ａの画面の一例である。
【００６６】
図４ＡのステップＳ１３における複数のグループいずれかにセンサ２０を割り当てる操作は、まず、明るさセンサ設定画面において、センサ２０を割り当てたいグループに属する照明器具１０を選択する。具体的には、タッチパネル３１ａ画面上の照明器具１０をタッチすると、表示色が変更され、選択されていることがわかるようになる（領域３０１）。センサ２０を割り当てる操作においては、同一グループに属する照明器具１０は、いずれの照明器具１０をタッチしても、同一のグループに属する照明器具１０がすべて選択されることから、容易な操作で設定操作ができる。
【００６７】
次に、センサペアリングと記載された領域３０２をタッチすると、図６Ｂに示されるセンサ（調光アダプタ）選択画面が表示される。センサペアリングとは、センサをグループに割り当てる操作を意味する。図６Ｂの領域３０４の部分をタッチすることで、センサとして調光アダプタＡ１が選択される。この操作により、図６Ａの（ａ）における領域３０１にある照明器具１０のグループに、センサ（調光アダプタ）Ａ１が割り当てられ、図６Ａの（ｂ）の領域３０３に示されるように、照明器具１０のアイコン上部の括弧内にセンサとしてＡ１が選択されたことが表示される。このように、照明器具１０のアイコン上部にグループおよびセンサ２０が表示されることにより、ユーザはそれぞれの照明器具１０がどのグループおよびどのセンサ２０によって制御されるかが一目でわかり、操作しやすくなる。
【００６８】
さらに、本実施の形態に係る割り当て方法は、第１送信ステップ後に、設定器３０が、割り当てられたセンサ２０が異なる複数のグループ間で、複数の照明器具１０のうちの１つのグループの変更操作を受け付ける第３受付ステップと、設定器３０が、複数の照明器具１０のうちの１つの変更後のグループを示す変更後の第１情報３３ａをコントローラ４０に送信する第２送信ステップとを含む。コントローラ４０は、受信した変更後の第１情報３３ａに基づいて、複数の照明器具１０のうち変更操作によってグループが変更された照明器具１０を変更後のグループに割り当てられたセンサ２０の検知結果に基づいて制御する。
【００６９】
図７Ａは、本実施の形態に係る割り当て方法において、図５におけるステップＳ１５の後に、設定器３０が照明器具１０のグループ分けを変更する方法を示すフローチャートである。また、図７Ｂは、本実施の形態に係る割り当て方法において、照明器具１０のグループ分けが変更された際の、コントローラ４０の処理を示すフローチャートである。
【００７０】
まず、図７Ａに示されるように、設定器３０は、グループ分けを変更する照明器具１０の選択の操作を受け付ける（Ｓ２１）。ステップＳ２１においては、グループ分けを変更する照明器具１０として、複数の照明器具１０の中から、１つが選択されてもよく、複数が選択されてもよい。複数の照明器具１０の中から複数が選択される場合には、選択される照明器具１０は、同一のグループから選択されてもよく、異なるグループから選択されてもよい。つまり、ステップＳ２１においては、複数の照明器具１０が属するグループとは関係なく、グループ分けを変更する照明器具１０を選択することができる。次に、設定器３０は、選択した照明器具１０の変更後のグループの選択を受け付ける（Ｓ２２）。ステップＳ２１およびステップＳ２２の操作で受け付けた情報は、選択された照明器具１０の変更後のグループを示す変更後の第１情報３３ａとして、記憶部３３に記憶される。そして、設定器３０は、複数の照明器具１０それぞれが変更先のグループを示す変更後の第１情報３３ａを、コントローラ４０に送信する（Ｓ２３）。
【００７１】
次に、図７Ｂに示されるように、コントローラ４０は、図７ＡにおけるステップＳ２３で送信された照明器具１０の変更後のグループを示す変更後の第１情報３３ａを受信する（Ｓ２４）。コントローラ４０において、受信した変更後の第１情報３３ａが記憶部４１に記憶される（Ｓ２５）。記憶されている第２情報４１ｂにおいて、属するグループが変更された照明器具１０のグループ変更前後でセンサ２０が異なる場合（Ｓ２６でＮｏ）、照明器具１０に割り当てられたセンサ２０は変更される（Ｓ２７）。センサ２０が異なる場合とは、記憶されている第２情報４１ｂにおいて、変更前後のグループに割り当てられたセンサ２０が異なる場合、および、変更前後のグループの一方にセンサ２０が割り当てられていない場合を含む。変更前の照明器具１０が属するグループにセンサ２０が割り当てられていない場合、コントローラ４０は、照明器具１０に新たにセンサ２０を割り当てる。変更後の照明器具１０が属するグループにセンサ２０が割り当てられていない場合、コントローラ４０は、照明器具１０のセンサ２０の割り当てを解除する。
【００７２】
記憶されている第２情報４１ｂにおいて、属するグループが変更された照明器具１０のグループ変更前後でセンサ２０が同じ場合（Ｓ２６でＹｅｓ）、照明器具１０に割り当てられたセンサ２０は変更されない（Ｓ２８）。例えば、異なるグループで同一のセンサ２０が割り当てられていた場合、当該グループ間で照明器具１０が属するグループを変更しても、照明器具１０に割り当てられたセンサ２０は変更されない。そして、コントローラ４０は、変更後の前記第１情報４１ａおよび第２情報４１ｂに基づいて、複数の照明器具１０を変更後のグループに割り当てられたセンサ２０の検知結果に基づいて制御する（Ｓ２９）。
【００７３】
図８Ａは、本実施の形態に係る割り当て方法において、照明器具１０のグループ分けを変更する際の、設定器３０における操作の一例を示す図である。図８Ａの（ａ）および（ｂ）には、設定器３０におけるタッチパネル３１ａの画面が示されている。図６Ａと同様に、それぞれの照明器具１０がアイコンで示されており、アイコン上部に照明器具１０が属するグループとしてエリアの番号、ゾーンの番号およびセンサ２０が割り当てられている場合にはセンサ２０の番号が表示されている。また、図８Ｂは、グループを選択する際に表示される、設定器３０におけるタッチパネル３１ａの画面の一例である。
【００７４】
図７ＡのステップＳ２１におけるグループ分けを変更する照明器具１０の選択の操作は、まず、ゾーン設定画面において、グループ分けを変更したい照明器具１０を選択する。具体的には、タッチパネル３１ａ画面上の照明器具１０をタッチすると、表示色が変更され、選択されていることがわかるようになる（領域３０５）。照明器具１０のグループ分け変更の操作においては、選択する照明器具１０は１つでもよく、複数でもよい。また、照明器具１０を複数選択する場合、同じグループに属する照明器具１０でもよく、異なるグループに属する照明器具１０でもよい。タッチパネル３１ａにおいて、同じグループに属する照明器具１０を選択する場合には、いずれかの照明器具１０を２回タッチすることで、同じグループに属する照明器具１０がすべて選択される。これにより、同じグループに属する照明器具１０を個別にグループ変更したい場合、および、一括でグループ変更したい場合のどちらの場合においても、容易な操作で変更できる。
【００７５】
次に、ゾーン変更と記載された領域３０６をタッチすると、図８Ｂに示されるグループ（ゾーン）変更画面が表示される。図８Ｂの領域３０８の部分をタッチすることで、グループがゾーン２に変更される。この操作により、図８Ａの（ａ）における領域３０５にある照明器具１０のグループがゾーン２に変更され、図８Ａの（ｂ）の領域３０７に示されるように、アイコン上部のゾーンを示すＺの横の数字が００２に変更される。ゾーン２は、センサＡ２が割り当てられていたことから、ゾーンの変更と同時に、センサ２０を示す括弧内の数値もＡ２に変更され、グループを変更した照明器具１０に、センサＡ２が割り当てられる。
【００７６】
なお、図４ＡにおけるステップＳ１５の前に、設定器３０は、複数の照明器具１０をグループごとに一括制御する第１モード、および、複数の照明器具１０のそれぞれを当該照明器具１０が属するグループに割り当てられたセンサ２０の検知結果に基づいて制御する第２モードを受け付けてもよい。例えば、第１モードおよび第２モードに関する情報は、照明スケジュール情報と共にグループに割り当てられ、コントローラ４０に送信される。また、図４ＢのステップＳ１８において、コントローラ４０は、グループに割り当てられた第１モード、および、第２モード基づいて複数の照明器具１０の制御を行ってもよい。また、コントローラ４０は、グループごとに時刻と照明動作とを対応付けた照明スケジュール情報に従い、時間ごとに第１モードと第２モードとを切り替えてもよい。
【００７７】
［効果等］
以上説明したように、本実施の形態に係る割り当て方法は、コントローラ４０が複数の照明器具１０を制御するために用いられる少なくとも１つのセンサ２０を、設定器３０への操作によって複数の照明器具１０に割り当てる設定器３０による割り当て方法である。割り当て方法は、設定器３０が、複数の照明器具１０を複数のグループに分ける操作を受け付ける第１受付ステップと、設定器３０が、複数のグループの少なくとも１つにセンサ２０を割り当てる操作を受け付ける第２受付ステップと、設定器３０が、複数の照明器具１０それぞれが属するグループを示す第１情報３３ａ、および、複数のグループの少なくとも１つに割り当てられたセンサ２０を示す第２情報３３ｂをコントローラ４０に送信する第１送信ステップとを含む。コントローラ４０は、受信した第１情報３３ａおよび第２情報３３ｂに基づいて、複数の照明器具１０のそれぞれを当該照明器具が属するグループに割り当てられたセンサ２０の検知結果に基づいて制御する。割り当て方法は、さらに、第１送信ステップ後に、設定器３０が、割り当てられたセンサ２０が異なる複数のグループ間で、複数の照明器具１０のうちの１つのグループの変更操作を受け付ける第３受付ステップと、設定器３０が、複数の照明器具１０のうちの１つの変更後のグループを示す変更後の第１情報３３ａをコントローラ４０に送信する第２送信ステップとを含む。コントローラ４０は、受信した変更後の第１情報３３ａに基づいて、複数の照明器具１０のうち上記変更操作によってグループが変更された照明器具１０を変更後のグループに割り当てられたセンサ２０の検知結果に基づいて制御する。
【００７８】
これにより、設定器３０による割り当て方法では、設定器３０においてグループにセンサ２０を割り当てる操作を行うことで、複数の照明器具１０のそれぞれに割り当てられたセンサ２０の検知結果に基づき照明器具１０が制御される。さらに、設定器３０において、割り当てられたセンサ２０が異なる複数のグループ間で、複数の照明器具１０のうちの１つのグループを変更した場合に、割り当てられたセンサ２０も変更され、複数の照明器具１０に割り当てられたセンサ２０に基づいて制御される。よって、照明器具１０のグループを変更するだけで、センサ２０による制御も変更されることから、容易な操作で照明器具１０とセンサ２０との割り当てを設定、および、変更することができる。
【００７９】
また、コントローラ４０は、設定器３０への操作に応じて複数の照明器具１０をグループごとに一括制御する第１モード、および、複数の照明器具１０のそれぞれを当該照明器具が属するグループに割り当てられたセンサ２０の検知結果に基づいて制御する第２モードを有してもよい。
【００８０】
これにより、多様な制御が設定されることから、使用場面に応じた制御が設定できる。例えば、センサ２０が割り当てられた照明器具１０についても、センサ２０の検知結果に基づかない制御を行うことができる。よって、照明スケジュール等を設定すれば、人が不在になる場合など、不要な検知による照明制御を抑制し、使用用途に合わせた照明動作とすることを容易に設定できる。
【００８１】
また、第２受付ステップにおいて、設定器３０が、複数のグループのうちの２つ以上に同一のセンサ２０を割り当てる操作を受け付けてもよい。
【００８２】
これにより、容易な設定操作で、異なるグループに属する照明器具１０においても、同一のセンサ２０に基づいた制御が行われる。例えば、照明動作は異なるものの同一のセンサ２０を割り当てたいグループがある場合などに、設置するセンサ２０の数を減らすことができる。
【００８３】
また、センサ２０は、明るさを検知する明るさセンサであってもよい。
【００８４】
これにより、センサ２０が検知した明るさに基づき、当該センサが割り当てられた照明器具１０が制御される。よって、容易な設定操作により、照明器具１０が設けられたフロア等を所望の明るさにすることができる。
【００８５】
また、センサ２０は、人を検知する人感センサであってもよい。
【００８６】
これにより、センサ２０が検知した人の存在に基づき、当該センサが割り当てられた照明器具１０が制御される。よって、容易な設定操作により、人が不在な場合には、消灯されるため、電気使用量を抑制できる。
【００８７】
また、本実施の形態に係る照明システム１００は、複数の照明器具１０と、複数の照明器具１０を制御するコントローラ４０と、コントローラ４０が複数の照明器具１０を制御するために用いられる少なくとも１つのセンサ２０と、設定器３０とを備える。設定器３０は、複数の照明器具１０を複数のグループに分ける操作、および、複数のグループの少なくとも１つにセンサ２０を割り当てる操作を受け付ける操作受付部３１と、複数の照明器具１０それぞれが属するグループを示す第１情報３３ａ、および、複数のグループの少なくとも１つに割り当てられたセンサ２０を示す第２情報３３ｂをコントローラ４０に送信する送信部３４とを有する。コントローラ４０は、第１情報３３ａおよび第２情報３３ｂを受信する受信部４３と、受信部４３によって受信された第１情報４１ａおよび第２情報４１ｂが記憶される記憶部４１と、記憶部４１に記憶された第１情報４１ａおよび第２情報４１ｂに基づいて、複数の照明器具１０のそれぞれを当該照明器具が属するグループに割り当てられたセンサ２０の検知結果に基づいて制御する制御部４２とを有する。操作受付部３１は、割り当てられたセンサ２０が異なる複数のグループ間で、複数の照明器具１０のうちの１つのグループの変更操作を受け付け、送信部３４は、複数の照明器具１０のうちの１つの変更後のグループを示す変更後の第１情報３３ａをコントローラ４０に送信する。受信部４３は、変更後の第１情報３３ａを受信し、記憶部４１は、変更後の第１情報４１ａが記憶され、制御部４２は、受信した変更後の第１情報４１ａに基づいて、複数の照明器具１０のうち変更操作によってグループが変更された照明器具１０を変更後のグループに割り当てられたセンサ２０の検知結果に基づいて制御する。
【００８８】
これにより、照明システム１００が備える設定器３０が、グループにセンサ２０を割り当てる操作を受け付ける、複数の照明器具１０のそれぞれに割り当てられたセンサの検知結果に基づき照明器具１０が制御される。さらに、複数の照明器具１０のうちの１つのグループを変更した場合に、割り当てられたセンサ２０も変更され、複数の照明器具１０に割り当てられたセンサ２０に基づいて制御される。よって、容易な操作で照明器具１０とセンサ２０との割り当てを設定、および、変更することができる。
【００８９】
また、本実施の形態に係る設定器３０は、コントローラ４０が複数の照明器具１０を制御するために用いられる少なくとも１つのセンサ２０を、複数の照明器具１０に割り当てるために操作される設定器３０である。複数の照明器具１０を複数のグループに分ける操作、および、複数のグループの少なくとも１つにセンサ２０を割り当てる操作を受け付ける操作受付部３１と、複数の照明器具１０それぞれが属するグループを示す第１情報３３ａ、および、複数のグループの少なくとも１つに割り当てられたセンサ２０を示す第２情報３３ｂをコントローラ４０に送信する送信部３４とを備える。コントローラ４０は、受信した第１情報３３ａおよび第２情報３３ｂに基づいて、複数の照明器具１０のそれぞれを当該照明器具が属するグループに割り当てられたセンサ２０の検知結果に基づいて制御する。操作受付部３１は、割り当てられたセンサ２０が異なる複数のグループ間で、複数の照明器具１０のうちの１つのグループの変更操作を受け付け、送信部３４は、複数の照明器具１０のうちの１つの変更後のグループを示す変更後の第１情報３３ａをコントローラ４０に送信する。コントローラ４０は、受信した変更後の第１情報３３ａに基づいて、複数の照明器具１０のうち変更操作によってグループが変更された照明器具１０を変更後のグループに割り当てられたセンサ２０の検知結果に基づいて制御する。
【００９０】
これにより、設定器３０が、グループにセンサ２０を割り当てる操作を受け付けることで、複数の照明器具１０のそれぞれに割り当てられたセンサ２０の検知結果に基づき照明器具１０が制御される。さらに、複数の照明器具１０のうちの１つのグループを変更した場合に、割り当てられたセンサ２０も変更され、複数の照明器具１０に割り当てられたセンサ２０に基づいて制御される。よって、容易な操作で照明器具１０とセンサ２０との割り当てを設定、および、変更することができる。
【００９１】
（その他の実施の形態）
以上、実施の形態に係る割り当て方法、照明システム１００および設定器３０について説明したが、本発明は、上記実施の形態に限定されるものではない。
【００９２】
例えば、上記実施の形態では、コントローラ４０が照明器具１０を制御するが、設定器３０の中に、ソフトウェアなどによってコントローラ４０が照明器具１０を制御する機能が含まれていてもよい。
【００９３】
また、例えば、上記実施の形態では、センサ２０は通信機能を有していたが、センサ２０が通信機能を有していなくてもよい。例えば、照明システム１００は、センサ２０とは別に通信アダプタ等を備え、通信アダプタを介してコントローラ４０の制御信号を照明器具１０に送信してもよく、コントローラ４０が直接照明器具１０に制御信号を送信してもよい。
【００９４】
また、例えば、上記実施の形態では、図４ＡのステップＳ１２において照明器具１０それぞれを複数のグループに分けた後、ステップＳ１３およびステップＳ１４により複数のグループいずれかにセンサ２０を割り当てたが、先に複数のグループいずれかにセンサ２０を割り当ててもよい（ステップＳ１２をステップＳ１４の後）。
【００９５】
また、例えば、設定器３０は、グループに割り当てられたセンサ２０の変更操作を受け付け、変更後のグループに割り当てられたセンサ２０を示す第２情報３３ｂをコントローラ４０に送信してもよい。さらに、コントローラ４０は、受信した変更後の第２情報３３ｂに基づいて、変更操作によってセンサ２０の割り当てが変更されたグループの照明器具１０を制御してもよい。また、上記グループに割り当てられたセンサ２０の変更は、割り当てを解除するものであってもよい。
【００９６】
また、上記実施の形態に係る、割り当て方法および照明システム１００ならびに設定器３０を構成する各構成要素が行うステップ（処理）を含む方法は、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００９７】
例えば、上記実施の形態が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００９８】
また、上記実施の形態の照明システム１００および設定器３０に含まれる各構成要素は、専用または汎用の回路として実現されてもよい。
【００９９】
また、上記実施の形態の照明システム１００および設定器３０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【０１００】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１０１】
さらに、半導体技術の進歩または派生する別技術によりＬＳＩに置き換わる集積回路化の技術が登場すれば、当然、その技術を用いて、照明システム１００および設定器３０に含まれる各構成要素の集積回路化が行われてもよい。
【０１０２】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【０１０３】
１０、１０ａ、１０ｂ、１０ｃ、１０ｄ、１０ｅ、１０ｆ  照明器具
２０、２０ａ、２０ｂ  センサ
３０  設定器
３１  操作受付部
３３ａ、４１ａ  第１情報
３３ｂ、４１ｂ  第２情報
３４  通信部（送信部）
４０  コントローラ
４１  記憶部
４２  制御部
４３  通信部（受信部）
１００  照明システム
２００ａ、２００ｂ  グループ
【図１】
2020087759.tif 000003
【図２】
2020087759.tif 000004
【図３Ａ】
2020087759.tif 000005
【図３Ｂ】
2020087759.tif 000006
【図４Ａ】
2020087759.tif 000007
【図４Ｂ】
2020087759.tif 000008
【図５】
2020087759.tif 000009
【図６Ａ】
2020087759.tif 000010
【図６Ｂ】
2020087759.tif 000011
【図７Ａ】
2020087759.tif 000012
【図７Ｂ】
2020087759.tif 000013
【図８Ａ】
2020087759.tif 000014
【図８Ｂ】
2020087759.tif 000015